(57)【要約】【課題】消費電力を抑制しつつ、複数の方式で通信可能な通信端末および通信システムを提供する。【解決手段】第１の基地局と接続可能な第１の通信手段と、第２の基地局に接続可能な第２の通信手段と、前記第１の通信手段のメッセージ送受信機能を利用して受信した前記第２の通信手段の起動を指示する指示情報に応じて前記第２の通信手段の起動を制御する制御手段を備える。【選択図】  図３
2005020477.tif 000002
【特許請求の範囲】
【請求項１】
第１の通信方式によりデータの送受信を行う第１の通信部と、
第２の通信方式によりデータの送受信を行う第２の通信部と、
電源が投入されたとき、前記第１の通信部を起動させ、第１の通信部が前記第２の通信部の起動要求を受信するまで前記第２の通信部の動作を停止するように制御する制御部と、
を備えていることを特徴とする通信端末。
【請求項２】
前記第１の通信部は移動網の無線基地局と接続可能な通信部であり、前記第２の通信部は無線ＬＡＮ基地局に接続可能な通信部であることを特徴とする請求項１に記載の通信端末。
【請求項３】
第１の基地局とデータの送受信を行う第１の通信部と、
第２の基地局とデータの送受信を行う第２の通信部と、
前記第１の通信部が前記第２の通信部による通信を要求する情報を受信するまで前記第２の通信部の動作を停止するように制御する制御部と、
を備えていることを特徴とする通信端末。
【請求項４】
前記通信を要求する情報を受信した後、前記第２の通信部によりデータの送受信を行うことができないとき、前記第１の通信部により通信を行うことができない旨の通知を送信することを特徴とする請求項３に記載の通信端末。
【請求項５】
第１の無線通信部と第２の無線通信部とを有する第１の通信端末と、第３の無線通信部と第４の無線通信部とを有する第２の通信端末と、前記第１の通信端末の識別情報を記憶する記憶部を有する管理サーバと、を備えてなる通信システムであって、
前記第１の通信端末は、使用者から前記第２の通信部を用いて前記第２の通信端末と通信を行うことを要求する通信要求が入力されたとき、前記第１の無線通信部を用いて前記第１の通信端末の識別情報を前記管理サーバに送信し、
前記管理サーバは、前記第１の通信端末から送信された前記第１の通信端末の識別情報と前記記憶した識別情報に基づいて前記第１の通信端末の使用者を認証し、認証後に前記第４の無線通信部の起動要求を前記第３の無線通信部に送信することを特徴とする通信システム。
【請求項６】
前記第１の通信部および第３の通信部は移動網の無線基地局と接続可能な通信部であり、前記第２の通信部および第４の通信部は無線ＬＡＮ基地局に接続可能な通信部であることを特徴とする請求項５に記載の通信システム。
【請求項７】
第１の通信方式によりデータを受信する第１の受信部と、
第２の通信方式によりデータの受信する第２の受信部と、
電源が投入されたとき、前記第１の受信部を起動させ、第１の受信部が前記第２の受信部の起動要求を受信するまで前記第２の受信部の動作を停止するように制御する制御部と、
を備えていることを特徴とする通信端末。
【発明の詳細な説明】
【０００１】
【発明の属する技術分野】
この発明は、通信部を備えた通信端末およびこれを用いた通信システムに関する。
【０００２】
【従来の技術】
公衆移動体通信網を介して通話を行う第１の無線送受信部を動作させている際に、無線ＬＡＮ基地局からの所定の無線信号に基いて、無線ＬＡＮ基地局のアクセスゾーンに移動したことを検知した場合に、前記第１の無線送受信部の動作を停止させ、無線ＬＡＮを介して通話を行う第２の無線送受信部の動作を開始させる、という無線ＩＰ電話機がある（例えば、特許文献１参照）。
【０００３】
【特許文献１】
特開２００２−１２３０６９号公報
【０００４】
【発明が解決しようとする課題】
前述のように無線ＬＡＮ基地局からの無線信号を受信するためには、第２の無線送受信部を動作させておかなければならず、バッテリー消耗が増加する。このようにバッテリー消耗が増加すると、通信可能時間が短くなり、かえってユーザにとって使い勝手が悪いものとなる。
【０００５】
また、前記公報には、公衆移動体通信網との通信が困難になったことを検知した場合に、第１の無線送受信部の動作を停止させて第２の無線送受信部の動作を開始させる実施形態が記載されているが、公衆移動体通信網で通信を行うことができる場所では、無線ＬＡＮからの呼出があっても検知することができないという問題が生じる。
【０００６】
本発明は、上記課題を解決するためになされたものである。
【０００７】
【課題を解決するための手段】
上記課題を解決するために、本発明にかかる通信端末は、第１の通信方式でデータの送受信を行う第１の通信部と、第２の通信方式でデータの送受信を行う第２の通信部を備えており、電源が投入されたとき、前記第１の通信部を起動させ、第１の通信部が前記第２の通信部の起動要求を受信するまで前記第２の通信部の動作を停止するように制御することを特徴とする。
【０００８】
【発明の実施の形態】
本発明の実施形態にかかる通信システムを図１を用いて説明する。
【０００９】
１ａ，１ｂ，１ｃは、携帯電話やＰＤＡ（Ｐｅｒｓｏｎａｌ  Ｄｉｇｉｔａｌ  Ａｓｓｉｓｔａｎｃｅ）等の通信端末である。この通信端末１は、移動網３の無線基地局２と接続可能な無線送受信部６と、ＩＰネットワーク８のホットスポットに設置される無線ＬＡＮ基地局１１に接続可能な無線ＬＡＮ送受信部７を内蔵する。通信端末１は、無線基地局２がカバーするサービスゾーン５の範囲内で無線基地局２に接続することができるとともに、無線ＬＡＮ基地局１１ａ，１１ｂがカバーするアクセスポイントゾーン１２では、無線ＬＡＮ基地局１１を介してＩＰネットワーク８に接続できる。無線送受信部６とは、例えば携帯電話通信部である。
【００１０】
無線基地局２は、移動網３を介して管理サーバ４に接続する。管理サーバ４は、送信側の通信端末１からの認証要求を受信し、認証を実行し、無線ＬＡＮ送受信部７の起動命令を受信側の通信端末１へ送信する。ゲートウェイ１０ａ，１０ｂは、サブネット９ａ，９ｂにおいて、有線ＬＡＮを介して無線基地局１１ａ，１１ｂに接続するとともに、ＩＰネットワーク８に接続する。ここで、ホットスポットとは無線ＬＡＮ基地局等のアクセスポイントを設置し、無線でのインターネット接続サービス等を利用者に提供する場所のことである。
【００１１】
次に、通信端末１の内部構成を図２を用いて説明する。
【００１２】
制御部１０１は、例えばＣＰＵ（Ｃｅｎｔｒａｌ  Ｐｒｏｃｅｓｓｉｎｇ  Ｕｎｉｔ）であり、以下に述べる各部の動作の制御や入力された情報の処理を行う。メモリ１０２は、制御部１０１が制御や処理を行う場合に使用され、情報を一時的に記憶する。アドレス保持部１０３は使用者アドレスを記憶し、パスワード保持部１０４は使用者アドレスに対応するパスワードを記憶する。また、アドレス保持部１０３には他の通信端末の使用者が所有するアドレスを保管することもできる。
【００１３】
切替部１０９は、制御部１０１の制御信号に基づいて、無線送受信部６と無線ＬＡＮ送受信部７のいずれか一方から送られてくるデータを通過させるように切替え、通過データを音声符複号部１１０あるいはデータ保持部１１４に入力する。このように、切替部１０９により無線送受信部６と無線ＬＡＮ送受信部７からの入力を切替えることにより、音声符複号部１１０、マイクロホン１１１、スピーカ１１２、ＡＤ／ＤＡ変換部１１３を共有することができる。
【００１４】
入力部１０５は、番号キーやファンクションキーにより構成され、ユーザにより電話番号や使用者アドレス等が入力されるときに用いられる。表示部１０６は、例えば液晶ディプレイ等を備えており、各種の情報の表示を行う。なお、ユーザがペンや指を用いてディスプレイの画面を触ることにより文字や数字を入力することが可能なタッチパネル方式にしても良い。
【００１５】
次に、無線ＬＡＮを利用して送受信を行う通信システムの動作を図３を用いて説明する。ここで、送信側の通信端末を１ａ、受信側の通信端末を１ｂとして説明を行う。
【００１６】
無線ＬＡＮを利用したデータ送信がユーザから指示されると、制御部１０１は表示部１０６に使用者のパスワードの入力を求めるメッセージを表示する。パスワードが入力されると、制御部１０１は無線ＬＡＮ送受信部７ａを起動させる（図示せず）。制御部１０１は、電源投入後も無線ＬＡＮ送受信部７ａを起動させず、前述のようにユーザから無線ＬＡＮを利用したデータ送信指示があるまで動作を停止する待機状態にしているため、電力消費を抑制することができる。
【００１７】
パスワードの入力要求は、ユーザからデータ送信指示が入力される度に行うことにより、他人により勝手に情報送信が行われることを防止することができる。但し、ユーザによってはパスワードの入力を煩わしく感じることがあるため、ユーザがパスワード入力の省略を選択可能にすることが望ましい。選択可能にすることにより、ユーザは使用形態に合わせて設定できるため、使い勝手を向上することができる。
【００１８】
なお、通信端末１ａの使用者がパスワードを有していない場合、管理サーバ４に自己の情報を登録し、使用者に固有のアドレスとパスワードを取得する。このアドレスとパスワードは、前述のようにアドレス保持部１０３とパスワード保持部１０４に記憶される。
【００１９】
無線ＬＡＮ送受信部７ａは、無線ＬＡＮ基地局１１ａにリンク確立要求を送信する（シーケンス００１）。無線ＬＡＮ基地局１１ａはリンク確立を許可すると、リンク確立通知を通信端末１ａに送信する（シーケンス００２）。一方、リンク確立を許可しない場合、無線ＬＡＮ基地局１１ａがリンク確立不可通知を送信する（シーケンス００３）。通信端末１ａは、リンク確立不可通知を受信すると、無線ＬＡＮ送受信部７ａの動作を停止させる。このように、リンク確立ができない場合に無線ＬＡＮ送受信部７ａの動作を停止させることにより、電力消費を抑制することができる。また、このとき、表示部１０６に無線ＬＡＮによる通信を行うことができない旨のメッセージを表示することにより、ユーザに通知することができる。
【００２０】
無線ＬＡＮ送受信部７ａがリンク確立通知を受信すると、表示部１０６は受信側の通信端末のアドレスの入力を求める表示を行う。ユーザは、入力部１０５を用いてアドレスを入力、あるいはアドレス保持部１０３に記憶されたアドレスを表示部１０６に一覧表示した中から選択する。
【００２１】
受信側のアドレスが入力あるいは選択されると、チャンネル複号部１０８において通信端末１ａのアドレス情報とパスワード情報、通信端末１ｂのアドレス情報のエラー訂正を実行する。エラー訂正された情報は変復調部１０７に送信され、変調される。
【００２２】
通信端末１ａは、変調されたアドレス情報とパスワード情報を無線基地局２を介して管理サーバ４に送信し、使用者の認証を求める（シーケンス００４）。管理サーバ４は、通信端末１ａから送信された通信端末１ａのアドレス情報とパスワード情報に基づいて送信側使用者の認証を実行する。このように、管理サーバ４でアドレスとパスワードに基づいて通信端末の使用者を認証することにより、通信端末の不正利用を防止することができる。認証後、管理サーバ４は、無線基地局２を介して、通信端末１ａに接続許可通知を送信するとともに（シーケンス００５）、通信端末１ｂに無線ＬＡＮ起動命令を送信する（シーケンス００６）。この無線ＬＡＮ起動命令は、例えばメールに添付して送信する。
【００２３】
一方、送信側使用者の認証確認できない場合、管理サーバ４は接続拒否通知を通信端末１ａに送信する（シーケンス００７）。通信端末１ａは、接続拒否通知を受信すると、無線ＬＡＮ送受信部７ａの動作を停止させ、無線ＬＡＮ基地局１１ａとの接続を切断する。このように無線ＬＡＮにより通信を行うことができない場合、無線ＬＡＮ送受信部７ａの動作を自動的に停止させることにより、消費電力を抑制することができる。
【００２４】
通信端末１ｂに備えられた無線送受信部６ｂは、図４に示すように例えば５．１２秒に一回だけ受信回路を動作させ、着信をモニタする間欠動作を行う。このように間欠動作することにより、電力消費を抑制することができる。一方、無線ＬＡＮ送受信部７ｂは、通信端末１ｂの電源がオンされた後であっても、起動要求を受けるまで、動作を停止する待機状態になっている。無線送受信部６ｂが管理サーバ４から送信された無線ＬＡＮ起動命令を受信すると、無線ＬＡＮ送受信部７ｂを起動する。具体的には、無線送受信部６ｂにより受信された無線ＬＡＮ起動命令は、変復調部１０７で復調され、ディジタルデータに変換し、チャンネル符復号部１０８でエラー訂正を実行され、制御部１０１に入力される。制御部１０１は、無線ＬＡＮ送受信部７ｂに制御信号を送信し、無線ＬＡＮ送受信部７ｂを起動させる。起動された無線ＬＡＮ送受信部７ｂは、無線ＬＡＮ基地局１１ｂにリンク確立要求を送信する（シーケンス００８）。
【００２５】
このように、間欠動作を実行する無線送受信部６ｂを用いて無線ＬＡＮ起動命令を受信することにより、無線送受信部７ｂの動作を停止中でも通信端末１ｂに対して無線ＬＡＮによる通信要求があることを知ることができる。このため、無線ＬＡＮ起動命令があるまで無線ＬＡＮ送受信部７ｂの動作を停止させることができ、消費電力を抑制することができる。
【００２６】
通信端末１ｂが無線ＬＡＮ基地局１１ｂのアクセスポイントゾーン１２ｂ圏内にあり、無線ＬＡＮ基地局１１ｂがリンク確立を許可すると、リンク確立通知を通信端末１ｂに送信する（シーケンス００９）。通信端末１ｂの無線ＬＡＮ送受信部７ｂがリンク確立通知を受信すると、制御部１０１は無線ＬＡＮ送受信部７ｂから通信端末１ｂのＩＰアドレスを通信端末１ａに送信し（シーケンス０１０）、通信端末１ａと通信端末１ｂとの間でパケットデータの送受信を開始する（シーケンス０１１）。
【００２７】
このパケットデータは、動画データや静止画データ、音声データ等のデータの種別を示す種別データを含む。なお、音声データには、電話として通話を行う通話音声データと声や音楽等の音を録音した音声ファイルデータが含まれる。種別データには、これら音声データを識別するデータを有している。
【００２８】
無線ＬＡＮ送受信部７ｂがパケットデータとして音声通話データを受信した場合、切替部１０８がパケットデータを音声複号部１１０に入力するように切替る。無線ＬＡＮ送受信部７ｂが動画データや静止画データ、音声ファイルデータを受信した場合は、切替部１０８はパケットデータをデータ保持部１１４に入力するように切替え、受信したデータを保存する。
【００２９】
なお、通信端末１ａからアドレス等の情報とともに、送信予定のパケットデータの種別を示す種別情報を送信し、管理サーバ４が無線ＬＡＭ起動命令にデータ種別情報を追加して通信端末１ｂに送信するようにしても良い。この場合、無線ＬＡＮ送受信部７ｂがパケットデータを受信する前に、切替部１０８により切替えを行うことができる。
【００３０】
パケットデータの送受信終了後（シーケンス０１２）、無線ＬＡＮ基地局１１ａ，１１ｂから終了通知を受信すると、制御部１０１ａ，１０１ｂでは無線ＬＡＮ送受信部７ａ，７ｂの動作を停止する（図示せず）。なお、表示部１０６に無線ＬＡＮを利用した通信を終了するか否かの選択を求める表示を行い、ユーザから終了指示があった場合に無線ＬＡＮ送受信部７ａ，７ｂの動作を停止するようにすることが望ましい。パケットデータの送受信終了後に、ユーザが無線ＬＡＮを利用して他の通信端末と続けて通信を行う場合、１つ１つの通信が終わるごとに無線ＬＡＮ送受信部７ａ，７ｂの動作を一度停止させてから再度起動させるようにすると、起動時に電力消費が増加するため、かえて消費電力が増加してしまう。本実施形態のように、ユーザに無線ＬＡＮ通信を終了するか否か確認することにより、消費電力の増加を抑制することができる。
【００３１】
一方、通信端末１ｂが無線ＬＡＮ基地局１１ｂにリンク確立要求を送信した後、所定時間以内にリンク確立通知を受信できないとき、あるいは無線ＬＡＮ基地局１１ｂからリンク不確立通知を受信したとき（シーケンス０１３）、通信端末１ｂの制御部１０１は無線ＬＡＮ送受信部７ｂの動作を停止させ、表示部１０６に無線ＬＡＮ基地局のアクセスポイントゾーン圏外である旨の通知を表示させる。この通知は、例えば「無線ＬＡＮによる通信要求を受信していますが、無線ＬＡＮで通信を行うことができません」のメッセージや、圏外マークの表示により行う。なお、リンク確立通知を受信できない場合とは、通信端末１ｂが無線ＬＡＮ基地局のアクセスポイントゾーン内に入っていない場合などである。
【００３２】
その後、制御部１０１は接続不可を通知する情報をチャンネル符復号部１０８によりエラー訂正し、変復調部１０７でデータ変調し、接続不可通知情報を生成する。そして、接続不可通知情報を無線基地局２を介して通信端末１ａに送信する（シーケンス０１４）。接続不可通知を受信した通信端末１ａは、無線ＬＡＮ送受信部７ａの動作を停止する。
【００３３】
なお、通信端末１ａが接続不可通知情報を受信した場合に、移動網３を介した通信を行うことを希望するかどうかを問い合わせる表示を表示部１０６に表示し、ユーザから要求があった場合は、無線送受信部６ａを用いてデータの送受信を行うように制御しても良い。
【００３４】
本実施形態によれば、待機状態にある無線ＬＡＮ送受信部７を、無線送受信部６により受信した無線ＬＡＮ起動命令に基づいて起動させることができる。そのため、無線ＬＡＮ送受信部７の起動を通話使用時及びパケット通信時に限ることができ、消費電力を低減することができる。
【００３５】
なお、本実施形態では、ホットスポットに設置するアクセスポイントを無線ＬＡＮ基地局とした場合を例にとって説明したが、他の無線通信を利用する場合に適用しても良い。また、本願発明の適用は、ホットスポットに設置されたアクセスポイントで通信を行う送受信部を備えた通信端末に限定するものではない。複数の送受信部を備え、複数の通信方式で送受信を行う通信端末に適用しても良い。複数の送受信部の中の１つの送受信部を選択し、この送受信部により他の送受信部を起動命令を受信することにより、他の送受信部の待機状態にすることができるため、消費電力を低減することができる。なお、選択する送受信部は、起動時の消費電力が少ないものであることが望ましい。
【００３６】
以上説明したように、本実施形態にかかる通信端末および通信システムによれば、複数の通信方式を用いる場合であっても消費電力の増加を抑制し、着信待受け時間や通信通話時間を確保できるため、ユーザの使い勝手を向上することができる。
【００３７】
【発明の効果】
本発明によれば、使い勝手を向上した通信端末および通信システムを提供することができる。
【図面の簡単な説明】
【図１】通信システムの構成図である。
【図２】通信端末の内部構成を示す図である。
【図３】通信システムの動作を示すシーケンス図である。
【図４】無線送受信部および無線ＬＡＮ送受信部の動作を示すタイムチャートである。
【符号の説明】
１ａ，１ｂ，１ｃ・・通信端末、
２・・無線基地局、３・・移動網、
４・・管理サーバ、５・・無線基地局がカバーするサービスゾーン、
６ａ，６ｂ，６ｃ・・無線送受信部、
７ａ，７ｂ，７ｃ・・無線ＬＡＮ送受信部、
８・・ＩＰネットワーク、
９ａ，９ｂ・・サブネット、
１０ａ，１０ｂ・・ゲートウェイ、
１１ａ，１１ｂ・・無線ＬＡＮ基地局、
１２ａ，１２ｂ・・無線ＬＡＮ基地局のアクセスポイントゾーン
１０１・・制御部、１０２・・メモリ、
１０３・・アドレス保持部、１０４・・パスワード保持部、
１０５・・入力部、１０６・・表示部
１０７・・変復調部、１０８・・チャンネル符復号部、
１０９・・切替部、１１０・・音声符復号部、
１１１・・マイクロホン、１１２・・スピーカ、
１１３・・ＡＤ／ＤＡ変換部、１１４・・データ保持部
【図１】
2005020477.tif 000003
【図２】
2005020477.tif 000004
【図３】
2005020477.tif 000005
【図４】
2005020477.tif 000006